(57)【要約】【課題】ベッド上での読書または情報機器の鑑賞に対応することができ、かつ使用しない時にはコンパクトに収納できるベッド用の書物および情報機器の載置台およびその支持装置を提供する。【解決手段】ベッド頭部から足方に向けた半円弧状のアーム１１を、ベッド両側の構成部材１に固着する基台２２と蟻溝２３により係合するスライダー２１に回動自在に軸支し、アーム１１とスライダー２１の両方に係合するアーム支え１３によりアーム１１を任意の角度に保持する。基台２２に蟻溝２３で係合するスライダー２１は基台２２に沿って上下でき、載置台７１を使用しない時には、アーム１１を跳ね上げ、スライダー２１を下げて収納する。書物または情報機器用載置台７１はアーム１１上の任意の位置で固定およびアーム１１を軸として回動かつ固定できる。また、同載置台７１は、アーム１１に対する向きを自由自在に変更でき、かつ載置台７１の平面に垂直な軸を中心に回動できるように接手６０でアーム１１と係合する。【選択図】  図１
2005287883.tif 000002
【特許請求の範囲】
【請求項１】
下記の構成を備えたことを特徴とするベッド用の書物または情報機器用載置台およびその支持装置
（１）ベッド頭部から足方に向けた半円弧状のアーム
（２）アームがアームの両端部分で、ベッド両側の構成部材または中間部のそれに相当する部材またはそれらに固着するスライダーに回動自在に軸支される構成
（３）アームの所要回動角度に応じて、アームをその角度に設定するためにベッド両側の構成部材または中間部のそれに相当する部材またはスライダー上に設けた着脱可能なアームストッパー
（４）アームが貫通し、アーム上の任意の位置で固定およびアームを中心軸として回動でき、任意の角度で固定できる係合片
（５）書物または情報機器を載置する載置台の載置面の裏側の略中央に垂設された固定ピン
（６）係合片に垂直な回動ピン
（７）回動ピンを中心軸として回動可能で、かつ任意の位置で固定でき、固定ピンと回動ピンとが相互に自由自在に遊動し任意の位置で固定可能な接手
【請求項２】
下記の構成を備えたことを特徴とする請求項１記載のベッド用の書物または情報機器用載置台およびその支持装置
（１）請求項１の（２）に記載のアームに替えて、ベッド両側の構成部材または中間部のそれに相当する部材またはスライダーに回動自在に軸支されるアーム受  
（２）アーム受はアームが嵌通し、そのアームが伸縮でき任意の長さで固定可能な構成
【請求項３】
下記の構成を備えたことを特徴とする請求項１または２記載のベッド用の書物または情報機器用載置台およびその支持装置
（１）アームまたはアーム受とベッド両側の構成部材または中間部のそれに相当する部材またはスライダーの両者に係合するアーム支え
（２）アーム支えとアームまたはアーム受の係合は、アーム支えの一端で請求項１の（２）項のアームの、または請求項２の（１）のアーム受の軸支部位より中央寄りでアーム受けに、遊動自在に係着または回動自在に軸支する構成
（３）ベッド両側の構成部材または中間部のそれに相当する部材またはスライダーとアーム支えとの係合は、アームの角度によって決まるアーム支えの位置でベッド両側の構成部材または中間部のそれに相当する部材またはスライダーに係着する構成
【請求項４】
下記の構成を備えたことを特徴とする請求項１または２記載のベッド用の書物または情報機器用載置台およびその支持装置
（１）アームまたはアーム受を固着するスプリング受
（２）スプリング受は、ベッド両側の構成部材または中間部のそれに相当する部材または前記スライダーに対向配置し、かつ回動可能に軸支
（３）ベッド両側の構成部材または中間部のそれに相当する部材または前記スライダーにスプリング受を弾性体で押圧し、両者の摩擦力により載置台が重力で垂下する力に抗し、アームを任意の角度で保持することのできる構成
【請求項５】
請求項１から４の内の一つの記載に下記の構成を付加したベッド用の書物または情報機器用載置台およびその支持装置
（１）スライダーと、アームまたはアーム受との間に弾性体を介装し、載置台の重量によってアームが垂下することに抗する力を付与する構成
【請求項６】
請求項１から５の内の一つの記載に下記の構成を付加したことを特徴とするベッド用の書物または情報機器用載置台およびその支持装置
（１）請求項１から５までの記載がスライダーを使用していない場合には、その構成をスライダーを使用する方式で構成
（２）前（１）項で採用したスライダーを含めて、請求項１から５までに記載のスライダーを、ベッド両側の構成部材または中間部のそれに相当する部材に固着しないで、蟻溝を形成
（３）ベッド両側の構成部材または中間部のそれに相当する部材に固着して、蟻溝を有する基台を追加、またはベッド両側の構成部材または中間部のそれに相当する部材に蟻溝を追加
（４）スライダーの蟻溝を前（３）項の蟻溝に嵌挿してスライダーを上下に摺動可能な構成
（５）ベッド両側の構成部材または中間部のそれに相当する部材またはスライダーを基台上の上下２位置に保持するために、蟻溝の閉塞と開放が可能となる移動式の上位置用停止片
（６）ダンパー機能を有する固定式の下位置用停止片
【請求項７】
下記の構成を備えたことを特徴とするベッド用の書物または情報機器用載置台およびその支持装置
（１）ベッド頭部から足方に向けた半円弧状のアーム
（２）アームが嵌通し、そのアームが伸縮でき任意の長さで固定可能なアーム受
（３）アーム受に対し突設した摺動材
（４）ベッド両側の構成部材または中間部のそれに相当する部材に回動自在に軸支される回動台
（５）回動台は、摺動材が嵌通し、任意の位置で固定可能な構成
（６）アームの所要回転角度に応じて、アームをその角度に設定するためにベッド両側の構成部材または中間部のそれに相当する部材に設けた着脱可能なアームストッパー
（７）アームが貫通し、アーム上の任意の位置で固定およびアームを中心軸として回動でき、任意の角度で固定できる係合片
（８）書物または情報機器を載置する載置台の載置面の裏側の略中央に垂設された固定ピン
（９）係合片に垂直な回動ピン
（１０）回動ピンを中心軸として回動可能で、かつ任意の位置で固定でき、固定ピンと回動ピンとが相互に自由自在に遊動し任意の位置で固定可能な接手
【請求項８】
下記の構成を備えたことを特徴とする請求項７記載のベッド用の書物または情報機器用載置台およびその支持装置
（１）摺動材または回動台とベッド両側の構成部材または中間部のそれに相当する部材の両者に係合する回動台支え
（２）回動台支えと摺動材または回動台の係合は、回動台支えの一端で回動台に、遊動自在に係着または回動自在に軸支する構成
（３）ベッド両側の構成部材または中間部のそれに相当する部材と回動台支えとの係合は、アームの角度によって決まる回動台支えの位置でベッド両側の構成部材または中間部のそれに相当する部材に係着する構成
【請求項９】
請求項１から８の内の一つの記載に下記の構成を付加したベッド用の書物または情報機器用載置台およびその支持装置
（１）請求項１記載の同一または異種の載置台２台をアームを軸対象に、または載置台複数台を同一アーム上に備えた構成
【発明の詳細な説明】
【技術分野】
【０００１】
本発明は、ベッド上で書物を読む時に書物を、または情報機器を使用する時に情報機器を保持するベッド用の書物または情報機器用載置台およびその支持装置に関するものである。
【０００２】
なお、本書類では、情報機器とは電子書籍、パソコン、ゲーム機およびテレビなどのディスプレー装置を有する電子機器を意味し、書物と情報機器を合わせて載置物と呼称する。
【背景技術】
【０００３】
従来から、書物を手で持つことなく楽な姿勢（例えば、寝ころんだまま）で読むことを可能とするために多くの発明がされている。しかし、書物を載置する書見台に関する発明は多いが、情報機器の載置が可能な載置台およびそれらの支持方式に関する発明は少ない。
【０００４】
載置物の位置は、仰臥時には頭部の真上では圧迫感があるために若干足方の上部が良い。側臥時のそれは、載置物の最下面とマットレス面が略同一となり、かつ載置物が頭部の真横となることが望ましい。しかしながら、従来の方式では前記の望ましい位置を確保することが困難であった。この改善策として特開２００３−２４１６１、実登３０８９１１５がある。しかし、前者は、仰臥時と側臥時で前後方向の調整が必要である上に、右側臥または左側臥の一方向しか対応できない。また、後者は側臥時の対応ができない。さらに、病院などでは座位での使用も望まれるが、従来の方法では殆どのものが座位には対応できない。  
【０００５】
近年進歩の著しい各種の情報機器に対応できる載置台およびその支持装置はない。これらの例としては、特開平０８−１６４１７１が挙げられるが、近年の情報機器の性能向上を活かした装置となっていない。
【０００６】
従来の方式では、載置台をノブや金具で締付け固定する構造で、載置台の位置変更の度に金具を弛めたり、締め付けたりするために力が必要である。また、この改善として提案されている特許として特開平０９−７５１３９であるが、逆に、離就床時などで、載置台を退避させるために力が必要になって操作性が悪くなっている。  
【０００７】
載置台の支持方法としては、載置台を支える支柱を立設した座板を蒲団またはマットレスで押える方法がある。この座板方式では、離床時には重しを失い、載置物を含めた載置台の重量で不安定になり、転倒する危険がある。また、通常、ベッドは柔軟であるため安定した姿勢に維持することができない。この例としては  特開平０９−７５１３９  が挙げられる。
【０００８】
従来の他の載置台の支持方法は、ベッド構成部材に取り外し自在にネジなどにより取付けるものなどがある。前項を含めたこれらの方法では、ベッドと蒲団の両方に使用できること、構造の違う各種ベッドに対応できることなどを優先的に検討しているために、コンパクト性や収納性について考慮されていない。
【０００９】
載置台を支持する従来の方法は、高さや角度（向き）を変えるために、主に支柱を兼ねたアームに１個所または２、３箇所接続（継ぎ）部を設けて、その接続部を滑動状態に可動できる構造となっている。したがって、一定の高さや向きを得るために長いアームを必要とし、載置物を含めた載置台の重みによるモーメント荷重が接続部にかかり、接続部を強固なものとする必要があり、複雑な構造となりコスト高や故障の原因になるものであった。  この例としては、特開平０８−１６４１７０が挙げられる。  また、従来方式では、蒲団またはマットレスのどちらでも使用できるとか、構造の違う各種ベッドに対応できることなど、共用性を優先的に考えるため、部材が重複し無駄が生じている。
【００１０】
【特許文献１】特開２００３−２４１６１
【特許文献２】特開平０９−７５１３９
【特許文献３】特開平０８−１６４１７０
【特許文献４】特開平０８−１６４１７１
【特許文献５】実登３０８９１１５
【発明の開示】
【発明が解決しようとする課題】
【００１１】
書物および情報機器用載置台およびその支持装置に求められる課題は、（１）機能性が高いこと（２）操作性が良いこと（３）安全に使用できること（４）収納性が良いこと（５）安価であることであり、この発明はこれらの課題を解決しようとするものである。
【００１２】
（１）機能性：仰臥時に於ける載置台の位置は、頭部の真上では圧迫感があるため若干足方の上部、側臥時のそれは、載置物の最下部がマットレス面と同一となることおよび頭部の真横であることが望ましい。しかしながら、従来の技術では、これらの要望に対応できない。また、病院などでは座位での使用も望まれるが、従来の技術では対応できないものが大部分である。
【００１３】
（１）機能性：一つの書物を読み飽きた場合には、面倒な操作をすることなく寝姿勢を変えるだけで、別の書物またはＴＶなどを見られることが望ましい。載置物は、出来れば二種類の物、例えば、二冊の本あるいは書物とＴＶを同時に載置できることが望まれる。
【００１４】
（１）機能性：近年進歩の著しい各種の情報機器についても対応可能な、機能性の高い載置台およびその支持装置が望まれる。
【００１５】
（２）操作性：従来の方式では、載置台をノブや金具で締付け固定する構造で、載置台の位置を変更する度に金具を弛めたり、締め付ける必要があり、その時に載置物を支える必要があるために力を必要とする。また、離就床時などで載置台を退避させるために力が必要である。
【００１６】
（３）安全性：多くの従来の載置台の支持方法は、載置台を支える支柱を立設した座板を蒲団またはマットレスで押える方式である。このために、離床時には重しを失い、載置物を含めた載置台の重量のために不安定になり、転倒する危険がある。また、蒲団またはマットレスは柔いために、それらで押えるだけでは不安定である。
【００１７】
（４）収納性：従来の載置台の支持方法は、ベッド構成部材に取り外し自在にネジなどで取付けるもの、載置台を支える支柱を立設した座板を蒲団またはマットレスで押えるものなどがある。これらの方法では、ベッドと蒲団の両方に使用できること、構造の違う各種ベッドに対応できることなどを優先的に検討するために、コンパクト性や収納性については考慮されていない。
【００１８】
（５）コスト：載置台を支持する従来の方法は、高さや角度（向き）を変えるために、主に支柱を兼ねたアームに１個所または２、３箇所の接続（継ぎ）部を設けて、その接続部を滑動状態に可動できる構造となっていた。したがって、一定の高さや向きを得るために長いアームを必要とし、載置物を含めた載置台の重みによるモーメント荷重が接続部にかかり、接続部を強固なものとする必要があり、複雑な構造となってコスト高や故障の原因になるものである。また、従来方式では、蒲団またはマットレスのどちらにも使用できるとか、構造の違う各種ベッドに対応できることなど、共用性を優先的に考えるため、部材が重複し無駄が生じている。更には、ベッドと別販売のために、梱包、輸送費が別となりコストが高くなっている。
【００１９】
本発明は上記のような従来技術の問題点に鑑みて、（１）機能性が高いこと（２）操作性が良いこと（３）安全に使用できること（４）収納性が良いこと（５）安価であることの「ベッド用の書物または情報機器用載置台およびその支持装置」を提供することを目的とするものである。
【課題を解決するための手段】
【００２０】
（１）機能性：一般的に、載置物は目から略３0ｃｍの距離で配置されることが良いとされる。また、仰臥時に於ける載置物の位置は、頭部の真上では圧迫感があるため若干足方の上部、側臥時のそれは、載置物の最下部がマットレス面と同一となることおよび頭部の真横であることが望ましい。これらの望ましい載置台の位置を繋いだ点（軌跡）は、ベッド頭部から足方に向けた略半円弧状のアーム上にある。逆に、そのアーム上を載置台が移動すれば、頭部は常にその略中心に位置することとなり、寝姿勢に関わらず常に載置物が最適な位置に配置される。このために、ベッド両側の構成部材あるいは中間部のそれに相当する構成部材に、ベッド頭部から足方に向けた半円弧状のアームをアームの端部で回動自在に軸支するとともに、アームを任意の角度に保持できる構造として、載置台をアーム上の任意の位置に固定することができる構成とする。載置台は、接手によりアーム上で三次元的にその位置および向きを自由自在に変更できる構成とする。また、座位での使用の要望に対しては、アームを最下段に調整、固定することにより対応できる。    
【００２１】
（１）機能性：また、二種類の載置物を同時に載置できることの要請については、アームは簡単な構造である上に二点で支持されるために耐荷重性が大きいことと、載置するアームは充分な長さがあり複数台をアーム上に並列配置することで対応できる。他に、二台の載置台を、アームを対称軸として背中合わせに配置することによって、必要により２台の載置台を回動して選択する方式により対応することも可能である。
【００２２】
（１）機能性：情報機器への対応については、前記のようにアームは簡単な構造である上に、両端支持で重量物の支持についても対応可能であり、情報機器の載置できる構成の載置台を装着する。
【００２３】
（２）操作性：載置台は、アームが貫通する係合片により遊動自在に係合されているため、載置物を含む載置台の重量は全てアームで支持される。これにより、載置台をアーム上の任意の位置に固定するために必要な力は、接手を固定する力のみである。載置台の向きの固定についても、載置台の係合片は載置台の重心に取付けられてバランスしているために、角度変更のために重量を支える力は必要とせず、固定のための力を必要とするのみである。また、アームの操作についてもアームが大きな梃子となるために、大きな力は必要としない。以上のように、載置台が常に最適な位置にあるアーム上をスライドすることと、移動のために力を必要としないことから、操作は容易である。離就床時などの操作性についても、アームは回動自在に軸支する構造となっているため、離就床時にはアームを梃子として容易に跳ね上げることができ、操作は容易である。
【００２４】
（３）安全性：従来方式での載置台の支持方式は、載置台を支える支柱を立設した座板を蒲団またはマットレスで押える方式である。この方式では、離床時には重しがなくなり、不安定になって転倒することもあり危険である。また、離床時以外にも、マットレスは柔いためにマットレスで押えるだけでは不安定である。一方、本方式では、支持装置であるアームをベッド構成部材に二点で軸支するものであり常に安定的に支持できる。
【００２５】
（４）収納性：本発明は、載置台を支持するアームをベッド構成部材に軸支することにより、座板を採用しない。また、大きな形状となるアームについても、伸縮可能なアーム受を設けて、不使用時にはアーム受に収縮することができるようになっている。更には、ベッド両側の構成部材に取付ける基台に蟻溝を設け、アームまたはアーム受を軸支するスライダーの蟻溝をベッド両側の構成部材または中間のそれに相当する部材または基台の蟻溝に嵌挿し、上下にスライドすることによってアームの位置を上下することができる構造となっている。これによって、不使用時にはベッド本体と略同じ大きさにまで収縮し収納できる。    
【００２６】
（５）コスト：コスト低減要素として二つ挙げることができる。一つには、従来の方法では、高さや角度（向き）を変えるために、主に支柱を兼ねたアームに１個所又は２、３箇所接続（継ぎ）部を設けて、その接続部を滑動状態に可動できる構造となっていて、一定の高さや向きを得るために長いアームを必要としている。このため載置台の重みによるモーメント荷重が接続部にかかり、接続部を強固なものとする必要があり、複雑な構造となりコスト高や故障の原因になるものであった。本発明では、ベッド両側の構成部材に、ベッド頭部から足方に向けた半円弧状のアームをその両端部で回動自在に軸支することなどにより単純化している。二つには、従来の方法では、ベッドと蒲団の両方に使用できることや構造の違う各種ベッドに対応することを目的に、ベッド構成部材と載置台支持用部材の間で部材が重複し、無駄が生じコスト高となっている。更に、付帯的な要素であるが、ベッドと別販売を前提にしているために、梱包、輸送費が別となりコストが高くなっている。このために、設計時から当該ベッド専用の構造として、載置台の機能の追加に伴う販売経費を抑制できる。
【発明の効果】
【００２７】
本発明により、（１）機能性が高いこと（２）操作性が良いこと（３）安全に使用できること（４）収納性が良いこと（５）安価であることの「ベッド用の書物または情報機器用載置台およびその支持装置」の課題に対応することができる。
【００２８】
（１）機能性：仰臥姿勢は勿論、左右両方の側臥姿勢、その中間の姿勢、座位姿勢を含めて、読書や情報機器の鑑賞に対応できる。望ましい載置台の位置への対応としては、側臥時の対応が最も困難である。本発明では、それにベストの対応が可能である。また、円弧状のアームを2箇所で支持するというシンプルな構成であるが重量物にも対応でき、従来は対応されていなかった情報機器にも対応できる。さらには、同時に二種類の載置物の載置ということも対応可能で、例えば、一つの書物に飽いた場合でも、容易に別のものを読むことも可能である。
【００２９】
（２）操作性：載置台の重量をアームで支持するため、載置台をアーム上の任意の位置に固定するために必要な力は、載置物を支持する必要はなく、接手を固定する力のみである。また、載置台の向きの変更についても、載置台はその重心で取付け、バランスしているために、角度変更のために載置台の重量を支える必要はない。アームの操作についてもアームが梃子となるために、大きな力は必要ない。以上のように、載置物が、読書または鑑賞にとって最適な位置であるアーム上をスライドすることと、移動のための力を要しないことから、操作は容易である。離就床時などで邪魔にならないようにする操作性についても、アームが梃子となるので容易に跳ね上げることができる。
【００３０】
（３）安全性：本方式は、二点でベッド構成部材に軸支するものであり常に安定的に支持できる。
【００３１】
（４）収納性：本装置では載置台の支持アームをベッド構成部材に軸支していて、座板を採用していない。また、大きな形状となるアームについても、使用しない時にはアーム受に収縮することができる。更に、ベッドに沿ってアームを上下することができ、使用しない時にはベッド本体と略同じ大きさにまで収縮できる。副次的効果として、収納時には低い位置にアームが保持されるため圧迫感がなくなるメリットも併せて享受できる。    
【００３２】
（５）コスト：本発明の構造は、ベッドの構成部材に半円弧状のアームを軸支するなど単純である。更に、ベッド専用の構造であるために、ベッド構成材と載置台または支持装置との間で重複する部材がないために安価にできる他、梱包、輸送経費を抑止できる。
【発明を実施するための最良の形態】
【００３３】
以下、本発明の実施形態例を添付図に基づいて説明する。
【００３４】
図１は、本発明の一実施例を概念的に説明するための斜視図である。図１の構成は、請求項１，２、３および６に対応し、部分説明図との関連では、図７，図８，図１５，図１６および載置台７１の説明図（図１８，図１９または図２０，図２１）が関係している。本発明は、ベッド構成部材１、ベッド頭部から足方に向けた半円弧状のアーム１１、アーム１１が嵌通しアーム１１の伸縮を可能にするアーム受１２、アーム１１を任意の角度に支えるアーム支え１３、書物または情報機器を載置する載置台７１、アーム１１上の任意の位置と角度で載置台７１を固定するための係合片５１、係合片５１と載置台７１を任意の角度で自由自在に遊動できるように係合する接手６０、アーム受１２が軸支およびアーム支え１３が係着されるスライダー２１、ベッド構成部材１に固着し蟻溝２３でスライダー２１と係合する基台２２、上下にスライドするスライダー２１を使用位置である上位置に停止させる上位置停止片２６、使用しない時の下位置に停止させる下位置停止片２５の１２個の主要構成からなっている。
【００３５】
ここで、スライダー２１は、蟻溝２３で係合する基台２２に沿って上下にスライドできる構造になっている。スライダー２１に回動自在に軸支されるアーム１１は、アーム支え１３によって使用者の望む任意の角度で固定し、使用しない時には想像線で示される位置に跳ね上げることができる構造になっている。載置台７１は球面の接手６０により、三次元的に自由自在に遊動可能で、かつ固定できる構造であり、さらに係合片５１により、アーム１１を軸として回動可能で、任意の角度に固定できる。
【００３６】
「基台２２とスライダー２１は蟻溝２３により係合する」と、本書類では記載しているが、ここでいう係合の方法としての蟻溝は、一般に言われている蟻溝に限定するものではない。両者が係合しかつスライドできる方法であれば適用できる。例えば、二本のパイプで、一方が他方を嵌挿する関係にあれば、どちらかをベッド構成部材１に固着し、他方を摺動させてスライダーとすることにより目的は達せられる。
【００３７】
「ベッド構成部材１に固着する基台２２」という記載があるが、その図示例では、基台２２は平板のように図示している。しかしながら、ベッド構成材１またはそれに相当する構成部材に固着できる方法であれば、他の公知の方法が適用でき、図示例に限定されるものではない。例えば、接着でもボルト止めでも、ベッド側がパイプ形状であればＵボルトという方法も適用できる。
【００３８】
請求項２および請求項６で記載している、アーム受１２およびスライダー２１の上下機能は選択可能な機能である。「発明を実施するための最良の形態」の記載では、記載を分かり易くするために、アーム受１２については関連図面の全てで採用した構成とし、スライダー２１の上下機能は図３、図５および図６では採用していないが、それ以外の関連図面では採用した構成として記載している。また、スライダー２１については全ての関連図面で採用した構成として記載している。各項目では、このことを特に断ることなく、文中に使用する。従って、本書類では簡単にして解かり易い説明をすることを目的に、正しくは「ベッド両側の構成部材１またはそれに相当する部材またはスライダー２１」と書くべきところを、スライダー２１と書いている。（図４は方式が異なり、図４の関連では、混乱を避けるために、殆ど同じ機能であるがスライダー２１は摺動材２７という名称で記載）
【００３９】
図２は、図１で説明したアーム１１、アーム受１２、アーム支え１３、スライダー２１、載置台７１の動き、およびその機能を概念的に説明する側面図である。実線では、使用状態の載置台７１、アーム１１、アーム受１２、アーム支え１３、スライダー２１、基台２２およびベッド構成部材１を表示している。想像線は、載置台７１を収納状態に移行するまでの３つの段階を表示している。第一段階としては、アーム受１２を嵌通しているアーム１１を摺動させて収縮した状態を示す。第二段階としては、アーム１１を跳ね上げた状態を示す。第三段階としては、スライダー２１を下位置停止片２５の位置に移動した収納状態を示す。
【００４０】
アーム１１を任意の角度で保持するための方式としては、大きく分類すると、図３で示す基本方式を別にして三つの方式に分類できる。第一の方式（アーム支え方式と呼ぶ）としては、アーム支え１３により角度を保持する方式で、請求項３の対象となる方式であり、図５，図６、図７、図８で説明する。第二の方式（フリクション方式と呼ぶ）としては、アーム支え１３を使わない方式で、請求項４の対象となる方式であり、図９，図１０、図１１、図１２で説明する。第三の方式（混合方式と呼ぶ）としては、第一または第二の方式と組み合わせて使用する方式で、請求項５の対象となる方式であり、図１２、図１３で説明する。
【００４１】
図３は、アーム１１の支持機構の基本方式を説明するための部分正面図で、請求項１，２に対応するアーム１１の支持方式である。図１および図２では、アーム１１がベッド構成部材１に沿って上下する機構を採用している場合を示しているが、説明の手順上、図３、図５および図６ではその機能を採用していない。図３について説明する。図３では、ベッド両側の構成部材に固着するスライダーを採用する方式を示している。アーム１１はアーム受１２を嵌通し、アーム受１２にはアーム１１を任意の嵌通位置で押止できるようにアーム固定部材１６を設けている。この固定方式はネジにより押止する方法を図示しているが、これに限定されるものではなく、公知の固定方式が対応可能である。例えば、アーム受１２に長溝を作って、アーム１１にボルトをネジで締められるようにして、アーム１１を出し入れして調整後、適切な位置でボルトを締めて固定する方法もある。アーム受１２は貫通していて、アーム１１の嵌挿量は自由に調整可能であるが、アーム１１の両端には抜け止め（図示せず）がある。
【００４２】
アーム１１を所要の角度で固定する為に、スライダー２１上に複数の着脱可能なアームストッパー１４を設けている。アームストッパー孔１７を、座位位置用、仰臥時読書位置用、収納時位置用などアーム１１の使用する角度に応じて設定し、目的に応じて選択使用する。それぞれの位置は、使用者の好みや体型などにより、例えば、同じ座位位置でも同一位置ではない。このために、座位位置用、仰臥時読書位置用、収納時位置用の通常使用する位置周辺に、それぞれに複数の孔を設定し、使用者が選択できるようにする。収納時位置用および座位位置用アームストッパー孔１７は、アーム１１の可動範囲の最外側であるために固定式の方が良い。他のアームストッパー１４は着脱可能とする必要がある。このアームストッパー孔１７の数は限定されるものではなく、目的に応じて複数設定できる。本実施例では、アームストッパー１４の着脱方式として、スライダー２１にネジを切ってボルトで着脱する方法を図示しているが、着脱手段はこれに限定されるものではなく、公知の着脱方式が適用可能である。例えば、単なるピンを挿入する方法でも対応できる。
【００４３】
図３の使用方法について説明する。使用者は使用開始時に、自分の好みに合った角度でアーム１１が設定されるようにアームストッパー孔１７を選択し、アームストッパー１４をセットする。通常、次回以降も同一人が使用し、仰臥と座位の使用目的が変わらない限りは、この設定を変更する必要はない。載置台７１の位置を調整するためにアーム１１の長さを変える場合には、アーム１１のアーム受１２への差し込み量を調整し、アーム固定部材１６により固定する。
【００４４】
図４は、図３の変形例を示した側面図である。これは請求項７に対応した方式である。ここでは、アーム１１を嵌通できるアーム受１２と略１２０度の角度で固着した摺動材２７（他の方式のスライダー２１と同じ役目であるが、混乱を避けるために別名称とした）を、ベッド構成部材の一つであるサイドフレーム２に回動自在に軸支されている回動台２８（他の方式の基台２２と同じ役目であるが、混乱を避けるために別名称とした）に嵌通している。アーム受１２とそれを固着する摺動材２７の形状は、アーム受１２のアーム１１を挿入される反対側を長く設定するために片側の短いアンバランスなＴ字状と言える。図３の場合と同様に、適切にアームストッパー１４をセットすることが可能なようになっている。
【００４５】
図４の実施例と他の実施例の主たる違いを記す。図４では、アーム１１の角度の変更のために回動台２８（他の実施例でいう基台２２）が回動するが、他の実施例では基台２２は回動しないで、アーム１１またはアーム受１２またはそれらが固定されている部材が回動する。従って、図４ではスライダー２１も回動し、混乱する恐れがあり、部材の名称を変えている。
【００４６】
図４の使用方法は次の通り。載置台７１を調整するためのアーム１１の出し入れは、アーム１１を少し持ち上げて、アーム受１２とアーム１１の方向を一致させてアーム１１とアーム受１２の抵抗を小さくして出し入れする。摺動材２７と回動台２８についても同様で、摺動材２７を上下し、載置台７１を適切な位置に設定する。設定は、アーム１１とアーム受１２の抵抗を大きくすること、即ち手を離すことにより固定できる。摺動材２７についても同じ方法で対応できる。特に固定する必要がある場合には、図２で記載したアーム１１の固定と同じような方法（図示せず）で対応する。この方式では、簡単な方法で収納時のアーム１１の高さを低く抑えることができるメリットがある。
【００４７】
図５は、アーム１１の支え方式の基本方式を説明するための部分正面図であり、図６はその断面図（A―A断面矢視図）である。図５および図６は、請求項１，２および３に対応するアーム１１の支持方式である。重複を避けるために、図３との変更点を主体に記す。
アーム１１を任意の角度で固定する為に、アーム受１２とスライダー２１の両者に係合するアーム支え１３がある。アーム支え１３は、アーム受１２がアーム１１に挿入される側ではアーム受１２と回動自在に軸支し、その反対側ではスライダー２１と係合する。アーム支え１３とスライダー２１の係合は、スライダー２１に固着するスライド押え３２に垂設した押えネジ４５によりアーム支え１３を押圧し、スライダー２１に押止する。押止されるアーム支え１３の端部には外れ防止のための支えストッパー１５がある。アーム１１が一定角度以上に回動しないように、スライダー２１に着脱可能なアームストッパー１４を設定することもできる。このアームストッパー１４は、座位用と仰臥用の二種類設定し、座位として使用する場合には仰臥用ストッパーを抜いて対応するようにすることもできる。アームストッパー１４の着脱方式としては特に限定されるものではなく、公知の着脱方式が適用可能であり、ネジ方式、ピン方式などがある。
【００４８】
図５と図６の使用方法は以下の通り。アーム１１の角度を変更する場合には、押えネジ４５を弛めてアーム支え１３の押止を解放した後、アーム受１２またはアーム１１により角度を調整し、その後、再度押えネジ４５を締めて、アーム支え１３を押止する。
【００４９】
図７と図８（アーム支え方式変形）は図５と図６の変形であり、図７は正面図、図８は断面図（A―A断面矢視図）である。図７と図８は、請求項１，２、３および６に対応するアーム１１の支持方式である。図５、図６と図７、図８の主な相違点は、アーム支え１３の固定方法の変更と、図５と図６では固着されていたスライダー２１が、図７と図８では、基台２２に沿って上下に移動する機能を付加したことである。図５と図６でのアーム支え１３の固定方法は、押えネジ４５によりアーム支え１３を押圧し、スライダー２１に押止する方法であった。図７と図８のそれは、図５と図６でのアーム支え１３に複数の支え孔２０を設けるとともに、その支え孔２０に押え球３５を入れて、スライダー２１に固着するスライド押え３２に垂設した押えネジ４５により、スプリング受３７に納められた押えスプリング３６、支え押え３１、押え球３５を介してアーム支え１３をスライダー２１に押圧する構造である。ここで、スライダー孔の数については特に限定するものではない。
【００５０】
スライダー２１が基台２２に沿って上下する機構は、ベッド構成部材１に固着する基台２２を追加し、その基台２２に凹状の蟻溝２３を形成するとともに、図５と図６に於けるスライダー２１にも凸状の蟻溝２３を形成し、両者の蟻溝２３を嵌挿してスライダー２１を上下に摺動する構造である。スライダー２１は、基台２２上の上下２位置で停止保持するために上位置停止片２６と下位置停止片２５を設ける。上位置停止片２６は、蟻溝２３の閉塞と開放が可能となるように移動が可能な構造である。下位置停止片２５は、蟻溝２３の閉塞と開放の必要はないが、スライダー２１の下降時の衝撃を吸収するためにダンパー２４を設けている。他の部分の構成については、図５と図６に同じである。ここで蟻溝２３の凹凸は、基台２２、スライダー２１の両者間で特に限定するものではない。
【００５１】
図７と図８の使用方法は以下の通り。アーム１１の角度を変更するには、基本方式と違って、アーム受１２またはアーム１１の角度を直接変えることができる。アーム受１２またはアーム１１により角度を変えることが固い場合や緩い場合には、押えネジ４５で調整することができる。スライダー２１の上方向への移動は、アーム１１またはアーム受１２の両端部を上方向に持ち上げる。下方向への移動は蟻溝２３を閉塞している上位置停止片２６をベッド中央側へ移動させた後にアーム１１またはアーム受１２を押し下げる。この使用方法については後で詳述する。他の部分の使用方法については、図５と図６と同じである。
【００５２】
図５から図８で説明したアーム支え方式の他の変形例としては、次のような方式がある（いずれも図示せず）。一つには、アーム支え１３をくさり（チェーン）や針金として、所要の角度に応じて、対応する長さで調整、固定できる構造として、スライダー２１に係着する方法である。二つには、鋸歯状の歯によりスライダー２１と係合する構造として、係合位置を適切に選択する構造である。三つには、アーム支え１３に長さ方向に長溝を形成し、ネジによりスライドする長溝をスライダー２１に任意の点で押止する方法である。また、１または２セットのボルトとネジにより長溝の有効長さを変えることにより、実質のアーム支え１３の長さを変えて、アーム１１の角度を変える方法もある。
【００５３】
図９と図１０は、フリクション方式基本であり、図９は正面図、図１０は断面図（A―A断面矢視図）である。図９と図１０は、請求項４および請求項６に対応するアーム１１の支持方式である。フリクション方式基本（図９と図１０）とアーム支え方式変形（図７と図８）との主な相違点は、アーム１１を任意の角度に支えるアーム支え１３の機能に替えて、アーム１１またはアーム受１２の支持方法を以下のように変更することである。複数の孔を周設する円盤状の基板である球座３８と支え押え３１とを対向配置し、球座３８はスライダー２１に固着する。支え押え３１、球座３８およびアーム１１またはアーム受１２を固着するスプリング受３７の三つの構成を、押えネジ４５により同軸上で回動自在に軸支する。支え押え３１とスプリング受３７は、回転角が同じになるように係合する。このような構成において、対向配置した球座３８の球座孔４７と支え押え３１の押え孔４６に押え球３５を入れて挟装し、押えネジ４５により、スプリング受３７に納められた押えスプリング３６を圧縮して、支え押え３１、押え球３５を球座３８に押圧する。これによりアーム１１またはアーム受１２の回動力が制御される。請求項４では、図９と図１０の球座３８および押え球３５のない場合について説明している。載置物の重量が軽い場合には球座３８、押え球３５などがなくても必要な摩擦力を確保できるが、重い場合には、図９と図１０と同じ方法で対応することとなる。この図での押えスプリング３６は圧縮コイルバネを使用した図であるが、皿バネを使用することも可能である。
【００５４】
図９と図１０の使用方法は以下の通り。アーム１１の角度を変更する場合には、アーム受１２またはアーム１１により直接角度を変えることが可能である。アーム受１２またはアーム１１により直接角度を変えるのが固い場合や緩い場合には、押えネジ４５で調整することができる。
【００５５】
図１１、図１２は、フリクション方式変形である。図１１は、支え押え３１を取り除いた状態の正面図、図１２は断面図（A―A断面矢視図）である。図１１と図１２は、請求項４および請求項６に対応するアーム１１の支持方式である。断面が略半円の棒状片４３を複数本放射状にスライダー２１に固着する。また、アーム１１またはアーム受１２を支え押え３１に軸支する。スライダー２１と支え押え３１の両者を、その棒状片４３を固着したスライダー２１の面とアーム１１またはアーム受１２を軸支した支え押え３１の面が対向するように、かつ、放射状に配置された棒状片４３の中心とアーム１１またはアーム受１２を軸支した点が一致するように配置する。更に、支え押え３１を押えスプリング３６でスライダー２１に押圧する構成とする。ここではアーム１１またはアーム受１２を支え押え３１に軸支する方法を記載したが、棒状片４３を支え押え３１とスライダー２１の両者に固着し対向させ摩擦力を確保するとともに、図９、図１０のようにアーム１１またはアーム受１２をスプリング受３７に固着する方法もある（図示せず）。また、ここでは圧縮バネの方式を図示したが、皿バネ（図示せず）による方法もある。
【００５６】
図１１と図１２の使用方法は以下の通り。アーム１１またはアーム受１２が外力により回動すると、アーム１１またはアーム受１２は棒状片４３とアーム１１またはアーム受12の干渉により押えスプリング３６を圧縮する。この圧縮により、アーム１１またはアーム受12は棒状片４３を乗り越えて移動することとなり、次の位置で次の組み合わせの棒状片４３に支えられて安定的に支持することとなる。これを連続して繰り返して所要の角度に保持する。
【００５７】
図１３は、請求項５に対応するアーム１１の支持方式である。アーム支え方式基本、同方式変形、フリクション方式基本および同方式変形の各支持方式に於いて、図１３は、載置台７１の重量によりアーム１１が垂下する力を軽減することを目的として、機能付加する機構であり、各実施例において必要により選択して付加するものである。具体的には、スライダー２１とアーム１１またはアーム受１２との間に弾性体を介装させて、載置台７１の重量によりアーム１１が垂下する力に抗する機構である。一例として、図１３では板バネ３９を介装させた例（混合方式基本）を示した。板バネ３９と同じような使い方として、圧縮コイルバネおよび引っ張りコイルバネ（図示せず）も使用できる。板バネ３９以外の方法として、ねじりコイルバネ（図示せず）をアーム１１またはアーム受１２の回動支持軸と同軸上に配置して同様の機能を実現することも可能である。なお、本方式は図３および図４の基本方式およびその変形例にも適用可能であり、ダンパー機能を持たせることも可能である。
【００５８】
図１４も、図１３と同じ混合方式の一つであり、アーム支え方式変更に機能追加をしたもので、混合方式変形と呼ぶ。具体的には、渦巻きバネ４２の始端をスライダー２１に係着し、終端をアーム１１またはアーム受１２に係着する。複数の孔を設けた渦巻きバネ４２の孔に、押え球３５を入れ、その押え球３５をスプリング受３７にガイドされた押えスプリング３６でスライダー２１に固着する受台４４に押圧する。アーム１１の角度の変動に合わせて、渦巻きバネ４２を巻きこんだり、弛めたりして摺動し、載置台７１の重量に対抗してバランスする方式である。これによれば、アーム支え方式変形と混合方式変形の両者は、渦巻きバネ４２の部分を除き全て同じである。即ち、混合方式変形では、載置台７１がその重力により垂下する力に抗する力を渦巻きバネ４２の巻き戻し力により確保、補強するということのみが異なる。なお、ここで押え球３５を使用しないで、図５、図６と同じように押えネジ４５により押止する方法もある。使用方法は図９、図１０と同じである。  
【００５９】
本発明では、載置台７１やアーム１１を収納する目的で、スライダー２１を上下に移動することができる構造となっている。その構造について図１５で説明する。本項は、請求項６に対応するスライダー２１の上下移動による収納構造に関するものである。アーム１１またはアーム受１２を軸支し、上下に移動するスライダー２１はベッド構成部材１に固着する基台２２と蟻溝２３により係合する構造であり、これによって、スライダー２１の上下移動機能が確保されている。スライダー２１は、アーム１１を使用する時と使用しない時とで二つの位置を求められる。即ち、スライダー２１は、上位置での停止と下位置での停止を求められる。使用位置である上位置に停止させる上位置停止片２６、使用しない時の下位置に停止させる下位置停止片２５の構成からなっている。
【００６０】
図1または図２において、スライダー２１に軸支されるアーム１１は、アーム支え１３によって使用者の求める任意の角度で固定し、使用しない時には想像線で示される位置に跳ね上げることができる構造になっている。ところで、上位置に停止させるためには、蟻溝２３を閉塞する必要があるだけでなく、下位置に停止させる時には蟻溝２３の閉塞を解除する必要がある。このために一例として図１５に示すような構成になっている。即ち、上位置停止片２６は引戻しスプリング９１で、常時は蟻溝２３を閉塞するような構造になっている。スライダー２１を下位置に変更しようとする場合には、蟻溝２３の閉塞を解除する必要があるため、ベッド中央部にある連接回転板９５の操作ノブ９４を回動させることにより、その操作ノブ９４に連接した連接片９２、戻し棒９３を介して上位置停止片２６をベッドの中央側に引っ張って蟻溝２３を開放する。下位置停止片２５にはダンパー２４が設けられていて、スライダー２１下降時における衝撃を吸収する構造になっている。このダンパー２４は衝撃を許容できる場合には必要なく、選択して採用するものである。スライダー２１を上位置停止位置へ引き上げる場合には、上位置停止片２６は台形形状になっているために、前記の操作ノブ９４を操作するなどの特別な操作を必要としない。スライダー２１の上昇に伴って自然に上位置停止片２６は引っ込んで蟻溝２３は開放される。これにより、スライダー２１は上位置停止片２６により上位置に保持される。ダンパー２４の構成としては圧縮バネを図示したが、これに限定されるものではない。具体的にはゴム、板バネおよびスポンジなどが適用できる。
【００６１】
この蟻溝２３の閉塞、開放の方法には種々の方法がある。単なるネジ止めでも良いし、ピンを挿入したり抜いたりする方法もある。その他に、ベッドの後方より長手方向の足方に、操作棒に固着する左右両端のピンを操作棒により一緒に回動させて、蟻溝２３の閉塞、開放する方法もある（いずれも図示せず）。
【００６２】
アーム１１の収納効果を高めるために、アーム１１を含む平面は一平面ではなく、円弧状アーム１１の先端部分で作る平面とアーム１１の両端部近辺（アーム受１２の作る平面と同義）を含む平面の両者は、同一平面でなく平行平面を含めて異なる平面とすることもできる。その理由としては、図２に示されるようにアーム１１を跳ね上げた時に、ベッド構成部材１であるヘッドボードと干渉し、収納性が悪くならないようにするためである。
【００６３】
ここで請求項８の実施例について記す。図４の構成は、基本的には図３と同じである。なぜなら、図３でアーム１１をスライダー２１に固着し、基台２２を回動可能なように軸支し、その基台２２をスライダー２１が上下するようにすると、図４と同じである。但し、名称が異なっているだけであるが、基本的な違いは、図４では基台２２が回動するのであるが、アーム１１が回動する。従って、請求項９では、アーム支え方式と同じように、回動台に支えを渡して回動角度を制御する方式について言及している。その方式としては、回動体である「回動台支えを摺動材または回動台」と静止体である「ベッド両側の構成部材または中間部のそれに相当する部材」の両者に係合する回動台支えで、角度の固定を図るものである。これは、図５から図８の方式と何ら変更点のない方式であり、実現可能である。
【００６４】
図１６から図２１は、請求項１の（４）から（７）、請求項７の（６）から（９）および請求項９に関するものである。図１６は、アーム１１上の任意の位置で載置台７１を固定し、アーム１１を軸として回動できる係合片５１と、係合片５１と載置台７１を任意の角度で自由自在に遊動できるように係合する接手６０の説明図である。図１６は球面の接手６０の例である。係合片５１は、アーム１１が貫通していて、アーム押え６１でアーム１１上の任意の位置に押止できるような構造になっている。その係合片５１に回動ピン５２を垂設し、その先端には球形の接手球５４がある。その接手球５４を包み込むような形で球面受５６があるが、その球面受５６には開口部があって、開口部を回動ピン５２が貫通している。これによって回動ピン５２は、開口部の開口範囲内で自由自在の動きが可能である。一方、球面受５６は、載置台７１の載置板７２の略中心に垂設される固定ピン６２により載置台７１と係着されている。これによって、係合片５１と載置台７１は、回動ピン５２を中心軸として回動可能で、かつ三次元的に自由自在に遊動できる。載置台７１の固定については、球面受５６にネジで係合している凹面押え５３を接手球５４に押止して固定する。
【００６５】
図16では、係合片５１はアーム１１にアーム押え６１によりネジで任意の位置に押止する構造になっているが、別の方法も考えられる。アーム１１の断面を多角形にして、その多角形にクランプ時のクランプ面が一致するようなクランプにより固定することもできる（図示せず）。
【００６６】
図１６では、接手球５４を固定する方法として、ネジにより押止する方法を示しているが、それに限定するものではない。例えば、バネにより接手球５４を常に押止することもできるし、接手球５４をバンド状のもので包み込んで引っ張る方向にネジで締め上げる方法などもある。
【００６７】
接手６０の使用方法は以下の通り。載置台７１をアーム１１上の所定の位置へ移動し、所定の角度に調整して、アーム押え６１によりネジ止めする。また、別の位置、角度に変更するためにはネジを弛めて、係合片５１をアーム１１上で移動し、先と同じことをする。載置台７１の前後左右を含めた向きの変更には、接手押え５５のネジを弛めて向きを変えた後に締めつけることにより固定する。
【００６８】
請求項９の「載置台７１の２台を、アーム１１を軸対象にして備えた構成」に対応する構成としては、係合片５１に垂設する回動ピン５２をアーム１１の軸対称に追設し、接手６０を係着することにより対応できる。
【００６９】
載置台７１の２台の使用方法は以下の通り。２台の載置台７１の組み合わせに係らず、両載置台７１はアーム１１を対称軸として回動可能であるので、好みに応じて好きな載置台７１を選択、必要により回動して載置物を鑑賞する。また、アーム１１は長いため２台以上の載置台７１を同時に並列にセットすることも可能であり、それぞれの載置台７１を所要の位置に移し、固定して載置物を鑑賞することもできる。
【００７０】
図１７は、図１６で説明した球面の接手６０の変形例である。前記の係合片５１と回動ピン５２は図１６と同じである。係合片５１に回動ピン５２を垂設し、それを軸として回動できる回動片５８がある。一方、載置板７２の略中心に固着する係止片５７があり、係止片５７に垂設した固定ピン６２により、回動片５８が固定ピン６２を軸として回動可能に係合されている。回動ピン５２および固定ピン６２を軸にして回動可能な回動片５８は、それぞれ任意の回動位置（角度）でネジにより押止できる構造になっている。使用方法は球面の接手６０とほとんど同じであり省略する。
【００７１】
図１８と図１９では書物を載置する載置台７１について説明する。図１８は平面図で、図１９は側面図である。この載置台７１の載置板７２は、載置する書物の大きさによって選択できるように複数の支持棒７４またはU字状ページ押え７９を垂設するための支持棒孔７７を有する。書物の大きさに対応して適切に支持棒孔７７を選定し、その孔に上下に伸縮可能な支持棒７４を垂設する。その先端に3個の舌片状ページ押え７８、1個の弾性体からなる略U字状ページ押え７９を回動可能に係着する。書物を載置板７２に押圧できる弾性体の本押え７３を、載置板７２の中央の上下に構成する。この載置台７１は、図１６または図１７で説明した接手６０により、アーム１１にて支持される。
【００７２】
図１８と図１９の使用方法は以下の通り。載置する書物の大きさに応じて、支持棒孔７７を選択し、その選択した支持棒孔７７に支持棒７４を垂設する。その先端に3個の舌片状ページ押え７８、1個のU字状ページ押え７９を係着する。この場合、読み終わったページが差込易いU字状ページ押え７９が、差し込む側の上側に来るように配置する。支持棒７４のネジにより書物の厚さに応じて舌片状ページ押え７８およびU字状ページ押え７９の高さを調整する。載置板７２に書物を載置して、書物を落下したり移動したりしないよう本押え７３により押圧するとともに、舌片状ページ押え７８、U字状ページ押え７９の下側に読もうとするページを開いて挿入する。１ページ読み終わったら次のページを開いて、捲ったページをU字状ページ押え７９の下に滑り込ませる。U字状ページ押え７９の下のページがある程度多くなったら、舌片状ページ押え７８の下にまとめて滑り込ませる。
【００７３】
先の接手６０の説明で、接手６０は回動ピン５２を軸にして回動できることを記した。一方、本項で「載置台７１は、U字状ページ押え７９が差し込む側の上側に来るように配置」すると、捲ったページをＵ字状ページ押え７９の下に差し込むことができ操作性が良いと記した。このことから、左捲りと右捲りの両方に対応するためには、この回動できることが必須であり、これにより高い操作性が得られる。
【００７４】
図２０と図２１で情報機器を載置する載置台７１について説明する。図２０は平面図であり、図２１は側面図である。この載置台７１は、載置板７２の裏側に、それぞれ上下左右に拡縮ができ、載置物の大きさに合わせて任意の位置で固定できるスライド板７６を有する。スライド板７６に垂設した上下に伸縮可能な支持棒７４の先端に載置物を保持できる載置物押え７５を有する構造である。この載置台７１は、図１６または図１７で説明した接手６０により、アーム１１にて支持される。
【００７５】
図２０、図２１の使用方法は以下の通り。載置物の大きさに合わせて、スライド板７６と載置物押え７５を適切に調整し、それぞれ止め具８０および支持棒７４により固定する。
【００７６】
なお、本発明は、上述した実施例に限定されるものでなく、本発明の要旨を変更しない範囲で変形実施できるものも含む。
【図面の簡単な説明】
【００７７】
【図１】一実施例の形態に係る斜視図
【図２】一実施例の収納機能の動作説明図
【図３】基本構成の部分正面図
【図４】基本構成の変形例の側面図
【図５】アーム支え方式基本の部分正面図
【図６】同上の部分断面図（A−A断面矢視図）
【図７】アーム支え方式変形の部分正面図
【図８】同上の部分断面図  （A−A断面矢視図）
【図９】フリクション方式基本の部分正面図
【図１０】同上の部分断面図（A−A断面矢視図）
【図１１】フリクション方式変形の支え押え３１を取り除いた状態での部分正面図
【図１２】同上の断面図
【図１３】混合方式基本の部分断面図
【図１４】混合方式変形の部分断面図
【図１５】収納機構断面図
【図１６】球面接手の断面図
【図１７】接手の変形例の断面図
【図１８】書物用載置台と接手の平面図
【図１９】同上の断面図（A−A断面矢視図）
【図２０】情報機器用載置台の平面図
【図２１】同上の断面図（A−A断面矢視図）
【符号の説明】
【００７８】
1            ベッド構成部材
2            サイドフレーム
11            アーム
12            アーム受
13            アーム支え
14            アームストッパー
15            支えストッパー
16            アーム固定部材
17            アームストッパー孔
20            支え孔
21            スライダー
22            基台
23            蟻溝
24            ダンパー
25            下位置停止片
上位置停止片
27     摺動材
28     回動台
29     回動台支え
31            支え押え
32            スライド押え  
35            押え球
36            押えスプリング
37            スプリング受
38            球座
39            板バネ
42            渦巻きバネ
43            棒状片
44            受台
45            押えネジ
46            押え孔
47            球座孔
51            係合片
52            回動ピン
53            凹面押え
54            接手球
55            接手押え
56            球面受
57            係止片
58            回動片
60            接手
61            アーム押え
62            固定ピン
71            載置台
72            載置板
73            本押え
74            支持棒
75            載置物押え
76            スライド板
77            支持棒孔
78            舌片状ページ押え
79            U字状ページ押え
80            止め具
81            固定押え
82            可動ピン
91            引戻しスプリング
92            連接片
93            戻し棒
94            操作ノブ
95            連接回転板
【図１】
2005287883.tif 000003
【図２】
2005287883.tif 000004
【図３】
2005287883.tif 000005
【図４】
2005287883.tif 000006
【図５】
2005287883.tif 000007
【図６】
2005287883.tif 000008
【図７】
2005287883.tif 000009
【図８】
2005287883.tif 000010
【図９】
2005287883.tif 000011
【図１０】
2005287883.tif 000012
【図１１】
2005287883.tif 000013
【図１２】
2005287883.tif 000014
【図１３】
2005287883.tif 000015
【図１４】
2005287883.tif 000016
【図１５】
2005287883.tif 000017
【図１６】
2005287883.tif 000018
【図１７】
2005287883.tif 000019
【図１８】
2005287883.tif 000020
【図１９】
2005287883.tif 000021
【図２０】
2005287883.tif 000022
【図２１】
2005287883.tif 000023